(57)【要約】【課題】本発明は光学レンズ分野に関し、レンズモジュールを提供する。【解決手段】本発明において、レンズモジュールは、収容空間を有するレンズホルダ、収容空間内に設けられた鏡筒及び鏡筒内に設けられたレンズを備え、レンズホルダには、収容空間内に延在して形成された、鏡筒の像側に位置する支持部が形成されており、レンズモジュールは、鏡筒の像側に設けられた緩衝層をさらに備え、鏡筒は、緩衝層を介して支持部に当接している。本発明に係るレンズモジュールは、レンズモジュールの安定性を向上させることができる。【選択図】図１
2019139214.tif 000002
【特許請求の範囲】
【請求項１】
収容空間を有するレンズホルダ、前記収容空間内に設けられた鏡筒及び前記鏡筒内に設けられたレンズを備えるレンズモジュールであって、
前記レンズホルダには、前記収容空間内に延在して形成された、前記鏡筒の像側に位置する支持部が形成されており、前記レンズモジュールは、前記鏡筒の像側に設けられた緩衝層をさらに備え、前記鏡筒は、前記緩衝層を介して前記支持部に当接していることを特徴とするレンズモジュール。
【請求項２】
前記支持部は、物体側に近接する物体側面と像側に近接する像側面とを備え、前記物体側面が前記像側面に向かって延在することによって段差孔が形成され、前記緩衝層は、前記物体側面に当接していることを特徴とする請求項１に記載のレンズモジュール。
【請求項３】
前記段差孔は、物体側から像側へ向かって設けられた１段孔と２段孔とを備え、前記１段孔の口径は、前記２段孔の口径よりも小さいことを特徴とする請求項２に記載のレンズモジュール。
【請求項４】
前記レンズに対向する通光孔は、前記緩衝層によって囲まれて形成され、前記通光孔の口径は、前記１段孔の口径よりも大きいことを特徴とする請求項３に記載のレンズモジュール。
【請求項５】
前記緩衝層は、リング状をなしていることを特徴とする請求項４に記載のレンズモジュール。
【請求項６】
前記段差孔は、物体側から像側に向かって設けられた１段孔と２段孔とを備え、前記２段孔の口径は、前記１段孔の口径よりも小さいことを特徴とする請求項２に記載のレンズモジュール。
【請求項７】
フィルタをさらに備え、前記フィルタは、前記１段孔内に設けられていることを特徴とする請求項６に記載のレンズモジュール。
【請求項８】
前記緩衝層は、前記フィルタに当接していることを特徴とする請求項７に記載のレンズモジュール。
【請求項９】
前記レンズに対向する通光孔は、前記緩衝層によって囲まれて形成され、前記通光孔の口径は、前記１段孔の口径よりも小さいことを特徴とする請求項８に記載のレンズモジュール。
【請求項１０】
前記緩衝層は、円形状をなし、前記緩衝層によって囲まれて形成された前記通光孔は、角形をなしていることを特徴とする請求項９に記載のレンズモジュール。
【請求項１１】
前記緩衝層は、黒色のコーディングが設けられたハニカム状スポンジであることを特徴とする請求項１乃至１０のいずれか１項に記載のレンズモジュール。
【発明の詳細な説明】
【技術分野】
【０００１】
本発明は光学レンズ分野に関し、特にレンズモジュールに関する。
【背景技術】
【０００２】
近年、科学技術が絶えずに進歩しているにつれて、電子機器が絶えずにスマート化に向かって発展していき、デジタルカメラ以外に、例えば、タブレットパソコン、携帯電話などの携帯型電子機器にもレンズモジュールが配置されている。従来技術では、レンズモジュールは一般的に鏡筒、鏡筒内に収容されたレンズ及び鏡筒を収容するためのレンズホルダを備える。
【発明の概要】
【発明が解決しようとする課題】
【０００３】
本発明の発明者は以下の問題を発見した。即ち、従来技術における鏡筒がレンズホルダに組み込まれた後、鏡筒がねじ山又は位置規制構造によってレンズホルダの内部に拘束され、螺合による作用力又は位置規制構造による作用力が小さい場合、鏡筒が安定的に固定されず、軸方向に揺れることによって、レンズモジュールの構造の安定性が悪くなる。従って、上記問題を解決するために、新型のレンズモジュールを提供する必要がある。
【課題を解決するための手段】
【０００４】
本発明の目的は、レンズモジュールの安定性を向上させることが可能なレンズモジュールを提供することにある。
【０００５】
上記技術的問題を解決するために、本発明の実施形態により、レンズモジュールが提供され、当該レンズモジュールは、収容空間を有するレンズホルダ、収容空間内に設けられた鏡筒、及び鏡筒内に設けられたレンズを備え、レンズホルダには、収容空間内に延在して形成された、鏡筒の像側に位置する支持部が形成されており、レンズモジュールは、鏡筒の像側に設けられた緩衝層をさらに備え、鏡筒は、緩衝層を介して支持部に当接している。
【０００６】
本発明の実施形態は従来技術に対して、緩衝層が設けられ、鏡筒が緩衝層によって支持部に当接することにより、鏡筒とレンズホルダとの間の相互作用力が小さい場合、緩衝層が鏡筒に物体側へ向かう支持力を与え、鏡筒がレンズホルダ内で揺れることを回避することができ、レンズモジュールの安定性を向上させる。
【０００７】
また、支持部は、物体側に近接する物体側面と像側に近接する像側面とを備え、物体側面が像側面に向かって延在することによって段差孔が形成され、緩衝層は、物体側面に当接している。
【０００８】
また、段差孔は、物体側から像側へ向かって設けられた１段孔と２段孔とを備え、１段孔の口径は、２段孔の口径よりも小さい。
【０００９】
また、レンズに対向する通光孔は、緩衝層によって囲まれて形成され、通光孔の口径は、１段孔の口径よりも大きい。
【００１０】
また、緩衝層は、リング状をなしている。緩衝層がリング状をなすことにより、光線はリング状の緩衝層の中央を通過することができ、光線を遮断して光線がレンズホルダの像側に近接する画像センサに結像することに影響を及ぼすことを回避することができる。
【００１１】
また、段差孔は、物体側から像側に向かって設けられた１段孔と２段孔とを備え、２段孔の口径は、１段孔の口径よりも小さい。
【００１２】
また、フィルタをさらに備え、フィルタは１段孔内に設けられている。
【００１３】
また、緩衝層は、フィルタに当接している。
【００１４】
また、レンズに対向する通光孔は、緩衝層によって囲まれて形成され、通光孔の口径は、１段孔の口径よりも小さい。
【００１５】
また、緩衝層は円形状をなし、緩衝層によって囲まれて形成された通光孔は角形をなす。
【００１６】
また、緩衝層は、黒色のコーディングが設けられたハニカム状スポンジである。黒色のコーディングは、レンズホルダ内における迷光を吸収することができ、結像の品質を向上させる。
【図面の簡単な説明】
【００１７】
【図１】本発明の第１実施形態に係るレンズモジュールの断面図である。
【図２】本発明の第１実施形態に係るレンズモジュールの分解図である。
【図３】本発明の第２実施形態に係るレンズモジュールの断面図である。
【図４】本発明の第２実施形態に係るレンズモジュールの分解図である。
【発明を実施するための形態】
【００１８】
本発明の目的、解決手段及びメリットがより明瞭になるように、本発明の各実施形態を図面を参照しながら以下に詳細に説明する。しかし、本発明の各実施形態において、本発明が良く理解されるように多くの技術的詳細が提出されたが、それらの技術的詳細および以下の各実施形態に基づく各種の変化及び修正が存在しなくとも、本発明の保護しようとするものを実現可能であることは、当業者に理解されるべきである。
【００１９】
本発明の第１実施形態はレンズモジュール１００に関する。図１と図２に示すように、レンズモジュール１００が、一体に設けられたレンズホルダ１１、鏡筒１２及びレンズ１３を備え、レンズホルダ１１が収容空間１１０を有し、鏡筒１２がレンズホルダ１１の収容空間１１０内に設けられ、レンズ１３が鏡筒１２内に設けられている。レンズホルダ１１が収容空間１１０内へ延在する支持部１１２を有し、支持部１１２が鏡筒１２の像側に位置し、レンズモジュール１００が緩衝層１４をさらに備え、緩衝層１４が鏡筒１２の像側に設けられ、鏡筒１２が緩衝層１４を介して支持部１１２に当接している。
【００２０】
本発明の実施形態では、従来技術に対して、緩衝層１４が設けられ、鏡筒１２が緩衝層１４を介して支持部１１２に当接することにより、鏡筒１２とレンズホルダ１１との間の相互作用力が小さい場合、緩衝層１４が鏡筒１２に物体側へ向かう支持力を与え、鏡筒１２がレンズホルダ１１内で揺れることを回避して、レンズモジュール１００の安定性を向上させる。
【００２１】
なお、鏡筒１２を持ち上げるように緩衝層１４を設けることにより、鏡筒１１内における、像側に近接する最後のレンズ１３１の像側がレンズホルダ内における支持部１１２に強く接触して摩耗することを回避することができる。
【００２２】
具体的には、支持部１１２がレンズホルダ１１の内壁１１１から光軸ＯＯ´に近づく方向へ延在する。好ましくは、支持部１１２がレンズホルダ１１の内壁１１１から光軸ＯＯ´に近づき、且つ光軸ＯＯ´に垂直する方向に向かって延在し、このように設けると、支持部１１２が緩衝層１４に対して安定的な支持力を与えて、緩衝層１４が支持部に安定的に設けられることを保証することができる。
【００２３】
さらに、支持部１１２が物体側に近接する物体側面１１２１と像側に近接する像側面１１２２とを備え、物体側面１１２１が像側面１１２２に向かって延在することにより、段差孔１１２３が形成され、緩衝層１４が物体側面１１２１に当接している。
【００２４】
好ましくは、段差孔１１２３が、物体側から像側へ向かって設けられた１段孔１１２３ａと２段孔１１２３ｂとを備え、１段孔１１２３ａの口径が２段孔１１２３ｂの口径よりも小さい。
【００２５】
なお、レンズ１３に対向する通光孔１４０が緩衝層１４によって囲まれて形成されており、通光孔１４０の口径が１段孔１１２３ａの口径よりも大きい。１段孔１１２３ａの口径が通光孔１４０の口径よりも小さいため、結像に必要な光が１段孔１１２３ａを通過することを保証するとともに、迷光が１段孔１１２３ａを通過して結像の品質に影響を及ぼすことを回避することができる。
【００２６】
本実施形態では、緩衝層１４がリング状をなしている。緩衝層１４がリング状をなすことにより、光線がリング状の緩衝層１４の中央を通ることを可能にし、光線を遮断して光線がレンズホルダ１１の像側に近接する画像センサに結像することに影響を及ぼすことを回避することができる。
【００２７】
なお、緩衝層１４は、黒色のコーディングが設けられたハニカム状スポンジである。スポンジは変形可能であり、一定の弾性を有し、それに接触する鏡筒１２に上向きの弾性力を与えることができ、そのため、鏡筒１２とレンズホルダ１１との間の相互作用力が小さい場合、鏡筒１２がレンズホルダ１１内で揺れるおそれがある問題を回避することができる。理解されるように、他の実施形態では、緩衝層１４は、例えば、ゴムなどの弾性力を提供可能な他の構造であってもよい。スポンジが黒色であることにより、スポンジがレンズホルダ１１に近接する内壁１１１上の迷光を吸収できることを確保することができ、鏡筒１２の物体側から入射した光線がレンズホルダ１１の像側における画像センサに結像する品質を向上させる。なお、本実施形態では、黒色のコーディングがスポンジの表面に形成されてもよく、或いは、スポンジの全体が黒色であってもよい。
【００２８】
本実施形態では、緩衝層１４は、接合剤により鏡筒１２とレンズホルダ１１に固定されている。緩衝層１４は、鏡筒１２の像側とレンズホルダ１１の支持部１１２にそれぞれ接触しており、接合剤により緩衝層１４を鏡筒１２とレンズホルダ１１に固定することにより、緩衝層１４が変位することを回避して、レンズモジュール１００の安定性をさらに向上させることが可能である。
【００２９】
好ましくは、接合剤は糊（のり）であってもよい。糊が安価であるため、糊を粘結剤として用いて緩衝層１４を鏡筒１２とレンズホルダ１１に固定する場合、コストを低減することができる。当然ながら、他の実施形態では、両面テープで緩衝層１４を鏡筒１２とレンズホルダ１１に固定してもよく、安価であり、低コストであるメリットも有する。
【００３０】
本実施形態では、鏡筒１２とレンズホルダ１１は螺合により固定されている。鏡筒１２の外壁に雄ネジが設けられ、レンズホルダ１１の内壁１１１に雌ネジが設けられている。レンズモジュール１００を組み立てる際、鏡筒１２の像側が緩衝層１４に当接するまで、鏡筒１２がレンズホルダ１１内に螺入される。
【００３１】
なお、レンズモジュール１００はフレキシブル回路基板１５をさらに備え、フレキシブル回路基板１５はレンズホルダ１１の像側に設けられ、且つ、レンズホルダ１１に当接している。
【００３２】
本発明の第２実施形態はレンズモジュール２００に関する。当該レンズモジュール２００は、別体で設けられたレンズホルダ２１、鏡筒２２及びレンズ２３を備える。図３と図４に示すように、第２実施形態は第１実施形態とほぼ同じであり、相違点は以下の通りであり、即ち、第１実施形態では、段差孔１１２３の１段孔１１２３ａの口径は２段孔１１２３ｂの口径よりも大きく、緩衝層１４の通光孔１４０の口径は１段孔１１２３ａの口径よりも大きいことに対して、第２実施形態では、段差孔２１２３は、物体側から像側へ向かって設けられた１段孔２１２３ａと２段孔２１２３ｂとを備え、２段孔２１２３ｂの口径は１段孔２１２３ａの口径よりも小さく、レンズモジュール２００はフィルタ２６をさらに備える。
【００３３】
具体的に、フィルタ２６は１段孔２１２３ａ内に設けられている。
【００３４】
さらに、緩衝層２４がフィルタ２６に当接することにより、フィルタ２６が緩衝層２４に対して上向きの支持力を与えるようになり、緩衝層２４の安定化に有利である。
【００３５】
なお、レンズ２３に対向する通光孔２４０が緩衝層２４によって囲まれて形成され、通光孔２４０の口径が１段孔２１２３ａの口径よりも小さく、これによって、緩衝層が鏡筒２２の通光孔２２０からレンズホルダ２１内に入射した迷光を遮断して、レンズホルダ２１内のフィルタ２６の像側に位置する画像センサの結像の品質に影響を及ぼすことを回避することができる。
【００３６】
本実施形態では、緩衝層２４は円形状をなし、緩衝層２４に囲まれて形成された通光孔２４０は角形をなしている。
【００３７】
なお、レンズモジュール２００はフレキシブル回路基板２５をさらに備え、フレキシブル回路基板２５はレンズホルダ２１の像側に設けられ、且つ、レンズホルダ２１に当接している。
【００３８】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【図１】
2019139214.tif 000003
【図２】
2019139214.tif 000004
【図３】
2019139214.tif 000005
【図４】
2019139214.tif 000006